(57)【要約】【課題】  部品点数並びに組み立て工数を低減すると共に、構造の簡素化及び装置の小型化が図れる装置を提供する。【解決手段】  回転出力軸７を有するモータ１と、モータのケーシング５端部において、モータの径方向に張り出して設けられた取り付け板４と、ケーシング５から突出し回転出力軸７の周囲に設けられたインロー部６と、インロー部６を回転可能に案内する案内孔２ａを有する被取り付け板２と、取り付け板４に一端を固定されると共に、被取り付け板２とで取り付け板４を狭持する係止部８とを有することを特徴とする駆動装置３を備えた電子機器を提供する。この時、取り付け板４の一方の幅は、ケーシング５の径部で規定される長さ内に設ける。また、モータ１に駆動信号を供給する端子９は、回転出力軸線方向において、取り付け板４と重なる位置に設ける。【選択図】  図１
2009095085.tif 000002
【特許請求の範囲】
【請求項１】
回転出力軸を有するモータと、
前記モータのケーシング端部において、前記モータの径方向に張り出して設けられた取り付け板と、
前記ケーシングから突出し前記回転出力軸の周囲に設けられたインロー部と、
前記インロー部を回転可能に案内する案内孔を有する被取り付け板と、
前記取り付け板に一端を固定されると共に、前記被取り付け板とで前記取り付け板を狭持する係止部と、
を有することを特徴とする駆動装置。
【請求項２】
前記取り付け板の一方の幅は、前記ケーシングの径部で規定される長さに設けられることを特徴とする請求項１記載の駆動装置。
【請求項３】
前記モータに駆動信号を供給する端子は、前記回転出力軸線方向において、前記取り付け板と重なる位置に設けられていることを特徴とする請求項２記載の駆動装置。
【請求項４】
前記取り付け板部と前記係止部が係合する部分のうち何れか一方はバネ部材で構成されていることを特徴とする請求項１乃至３の何れか一つに記載の駆動装置。
【請求項５】
前記被取り付け板部の前記係止部には突起を、前記取り付け板には前記突起と係合する孔部を有することを特徴とする請求項１乃至４の何れか一つに記載の駆動装置。
【請求項６】
前記突起において、前記孔部と接触する部分が半球状であることを特徴とする請求項５記載の駆動装置。
【請求項７】
前記取り付け板から延出する延出部と、
前記係止部に設けられ、前期延出部が前記回転出力軸周りに回転することを規制する回転規制部と、
を有することを特徴とする請求項１乃至４の何れか一つに記載の駆動装置。
【請求項８】
前記回転規制部は、前記延出部と接する傾斜部を有することを特徴とする請求項７記載の駆動装置。
【請求項９】
前記回転規制部は、前記延出部が係合する凹部であることを特徴とする請求項７記載の駆動装置。
【請求項１０】
前記取り付け板において、前記モータの二つの径方向に張り出した第一の取り付け部及び第二の取り付け部と、
前記第二の取り付け部に設けられた孔と、
前記被取り付け板に設けられた雌ネジ部と、
前記第二の取り付け部と前記被取り付け板を締結するネジと、
を有することを特徴とする請求項１乃至４の何れか一つに記載の駆動装置。
【請求項１１】
前記取り付け板において、前記モータの二つの径方向に張り出した第一の取り付け部及び第二の取り付け部と、
前記第一の取り付け部に設けられた第一の孔部と、
前記被取り付け板に設けられた第二の孔部と、
前記第一の孔部と前記第二の孔部に挿着されるピンと、
を有することを特徴とする請求項１乃至４の何れか一つに記載の駆動装置。
【請求項１２】
前記ピンは、前記回転出力軸の出力を伝達する動力伝達部材の回転案内を兼ねることを特徴とする請求項１１記載の駆動装置。
【請求項１３】
請求項１乃至８の何れか一項に記載の駆動装置を搭載した電子機器。
【発明の詳細な説明】
【技術分野】
【０００１】
本発明はデジタルカメラやＤＶＤを初めとする光情報機器等に代表される電子機器の駆動源として使用されるモータを用いた駆動装置及び駆動装置を搭載した電子機器に係り、特にモータの取り付け構造に関する。
【背景技術】
【０００２】
デジタルカメラやＤＶＤを初めとする光情報機器に代表される電子機器において、レンズ等の可動部の駆動源としてモータが広く用いられている。この様な従来のモータを固定する方法としては、モータに取り付け板を溶接し、この取り付け板を被取り付け体にビスで締結固定する構造が一般的に知られている。また、モータと電子機器内に設けられた被取り付け体を直接溶接して固定する構造（特許文献１）や、モータの出力軸端部に固定爪を形成し、固定爪に被取り付け体に形成されたボスを圧入する構造（特許文献２及び特許文献３）、モータに取り付け板を溶接し、その取り付け板から延びた複数の引っ掛け部を被取り付け体に設けられた孔部に係合することで取り付ける構造（特許文献４）、Ｌ字状のモータフォルダをモータの外周面に接着固定し、モータフォルダを被取り付け体にネジで締結固定する（特許文献５）構造等も提案されている。
【特許文献１】特開平１０−１４６００２号公報
【特許文献２】特開２０００−２３２７４９号公報
【特許文献３】特開２０００−２３２７５０号公報
【特許文献３】特開２０００−３５８３４０号公報
【特許文献５】特開平１０−７５５４５号公報
【発明の開示】
【発明が解決しようとする課題】
【０００３】
しかしながら、取り付け板を被取り付け板にビスで締結固定する構造では、ビス締結用の孔を設ける必要がある為に、取り付け板の小型化に限界が生じ、これにより駆動装置の小型化の障害となっていた。加えて、ビス締結の作業は被取り付け板の狭い場所で行う為に、組み立ての自動化が困難となってしまった。更には、人手に頼っても組み立て作業に時間を要してしまった。
【０００４】
また、前記特許文献１に記載されている固定方法では、モータと被取り付け板を直接溶接する為、両者の分解並びに交換が不可能であった。そして、溶接する際のモータと被取り付け体の嵌合が困難であり、嵌合用の治具が必要で、組み立て工数が増加するという課題も残されていた。
【０００５】
また、前記特許文献２及び３に記載されている固定方法においても、モータと被取り付け板の分解並びに交換が不可能であった。また、ボスをモータ内に圧入する構成の為、モータ内に余分なスペースが必要となってしまった。従って、コイルの体積を減らしたり、ロータマグネット長を短くしたりしなければならず、モータの体積当たりの出力が小さくなってしまった。更に、ボス圧入時の削れカスがモータ内に入り、性能の低下、場合によっては回転停止に至る恐れがあった。
【０００６】
また、前記特許文献４に記載されている固定方法では、被取り付け体に取り付け用の孔を設ける必要がある為、モータの出力を伝達する歯車の配置等、設計上の制約が生じる恐れがあった。加えて、モータ取り付け後にも孔が開いていたので、ゴミや光が入ってしまった。更に、被取り付け体がなければモータとして機能しない為、モータ単体での性能保証が困難な上、モータが故障した際のモータ単体での交換が不可能となってしまった。
【０００７】
また、製品毎或いは顧客毎に取り付け板を準備せざるを得ず、モータとしての在庫管理が困難となってしまった。
【０００８】
また、前記特許文献５では、モータフォルダという別部品が必要となる為、モータを搭載する電子機器を大型化させると共にコストを増大させてしまった。更に、モータとモータフォルダの固定が接着によって行われるが、モータを駆動した際に、モータには反力が作用する為、長期に亘る安定的な固定という点で信頼性に欠けてしまった。
【０００９】
従って本発明では、前記課題を有効に解決すべく考慮してなされたもので、その目的は、部品点数及び組み立て工数が少なく、且つ電子機器を大型化させることなくモータを容易に取り付け、分解が可能な構造を提供する事である。
【課題を解決するための手段】
【００１０】
前記課題を解決するために本発明の駆動装置は、回転出力軸を有するモータと、モータのケーシング端部において、モータの径方向に張り出して設けられた取り付け板と、ケーシングから突出し回転出力軸の周囲を覆う状態で設けられたインロー部と、インロー部を回転可能に案内する案内孔を有する被取り付け板と、取り付け板に一端を固定されると共に、被取り付け板とで取り付け板を狭持する係止部とを具備することを特徴とする。
【００１１】
また、取り付け板の幅は、ケーシングの径部で規定される幅内に設けられることを特徴とする。
【００１２】
更に好ましくは、モータに駆動信号を供給する端子は、回転出力軸線方向において、取り付け板と重なる位置に設けられていることを特徴とする。
【００１３】
これによれば、モータを容易に取り外し可能としながらも小型な駆動装置が実現できる。
【発明の効果】
【００１４】
以上説明した様に本発明に係る駆動装置によれば、取り付け構造が大きなスペースを要さないので、駆動装置の大型化を招かない。
【００１５】
加えて、モータ自体の構造は単純なままで容易に被取り付け体に取り付けることが可能で、しかも分解も容易に行うことができる駆動装置を実現できる。
【００１６】
更には、この駆動装置を搭載した電子機器によれば、部品点数が少なく、ローコストで小型な電子機器を実現できる。
【発明を実施するための最良の形態】
【００１７】
（実施の形態１）
本発明の実施の形態１に係る駆動装置３について図１乃至３に基づいて説明する。
【００１８】
図１は被取り付け板２にモータ１が取り付けられた駆動装置３を示す斜視図である。図２はモータ１を被取り付け板２に固定する前（準備）段階の状態を示す斜視図である。図３はモータ１を被取り付け板２に固定する前の夫々の斜視図である。
【００１９】
ここでモータ１は回転出力軸線方向に二つのステータユニットを重ねて配置されたクローポール型のステッピングモータである。モータ１の中心には図示しないロータ（磁石）の回転出力を外部に取り出す回転出力軸７が設けられている。モータ１のケーシング５の端部には、前記回転出力軸７の周囲を覆う状態で突出して設けられた円筒状のインロー部６が設けられている。また、ケーシング５の一方の端部においてモータ１（ケーシング５）の径方向に二箇所張り出した状態となる取り付け板４が設けられている。そして、モータ１に駆動信号を供給するための端子９はケーシング５の外周部に設けられている。
【００２０】
次に被取り付け板２、取り付け板４について詳細を説明する。被取り付け板２は二つの係止部８と中央に案内孔２ａを有する板状の部材である。ここで取り付け板２の一方の幅はモータ１の外径と同等以下の長さになっている。係止部８は一端を被取り付け板２の突出部２ｂに一体に接続された片持ち梁構造となっている。取り付け板４の２つの張り出し部には片持ち梁構造のバネ部４ａが設けられている。バネ部４ａはその固定部において厚み方向に曲げられている。
【００２１】
次に、モータ１の被取り付け板２への固定方法について説明する。先ず、図２に示す様に取り付け板４のバネ部４ａと係止部８並びに端子９が回転出力軸線方向に重ならない位置で、モータ１のインロー部６を被取り付け板２の案内孔２ａに挿入する。この状態からモータ１を反時計方向にバネ部４ａの先端が係止部８と接触する位置まで回転させる。この時、バネ部４ａの撓み量が最大となるためモータ１の被取り付け板２への固定力は最大となる。そして、この状態では取り付け板４も端子９も被取り付け板２の他方の幅方向（２つの係止部８、８を結ぶ方向）を向いているため駆動装置３の一方の幅はモータ１（ケーシング５）の外径で決まるため駆動装置３の薄型化が可能となる。
【００２２】
尚、図１乃至２では、取り付け板４にバネ部４ａを設けた例を示したが、係止部８側をバネ部としても構わない。更には、取り付け板４と係止部８にバネ部材を設けずに、取り付け板４と係止部８が係合した状態で接着剤等で固定しても構わない。
【００２３】
（実施の形態２）
本発明の実施の形態２に係る駆動装置１７について図４乃至５に基づいて説明する。ここでは実施の形態１との差異のみを説明する。
【００２４】
図４は被取り付け板１６にモータ１５が取り付けられた駆動装置１７を示す斜視図である。図５はモータ１５を被取り付け板１６に固定する前（準備）段階の状態を示す斜視図である。
【００２５】
二つの係止部１９は一端を被取り付け板１６の突出部１６ａに一体に接続された片持ち梁構造となっている。また、係止部１９には半球状の突起１９ａが設けられ、取り付け板１８にはその突起１９ａと嵌合する孔部１８ａが設けられている。
【００２６】
次に、モータ１５の被取り付け板１６への固定方法について説明する。図５に示す様に取り付け板１８のケーシング５端部から径方向に張り出している部分と係止部１９並びに端子９が回転出力軸線方向に重ならない位置からモータ１５を時計方向に突起１９ａが孔部１８ａに嵌合するまで回転させる。
【００２７】
尚、これにより駆動装置１７はモータ１５の回転出力軸心周りのモーメントに対しても大きな保持力を有する構造とすることが可能となる。
【００２８】
（実施の形態３）
本発明の実施の形態３に係る駆動装置２２ついて図６乃至７に基づいて説明する。ここでは実施の形態１乃至２との差異のみを説明する。
【００２９】
図６は被取り付け板２１にモータ２０が取り付けられた駆動装置２２を示す斜視図である。図７はモータ２０を被取り付け板２１に固定する前（準備）段階の状態を示す斜視図である。
【００３０】
取り付け板２３には取り付け板２３からモータ２０の径方向に延出する延出部２３ａが設けられている。二つの係止部２４には延出部２３ａが回転出力軸７周りに回転することを規制する傾斜部を有した回転規制部２４ａが設けられている。この二つの係止部２４は一端を被取り付け板２１の突出部２１ａに一体に接続された片持ち梁構造となっている。
【００３１】
次に、モータ２０の被取り付け板２１への固定方法について説明する。図７に示す様に取り付け板２３の延出部２３ａと回転規制部２４ａ並びに端子９が回転出力軸線方向に重ならない位置からモータ２０を回転させ、回転規制部２４ａが延出部２３ａの傾斜部上を滑りながら乗り上げることで生じる楔効果によって回転が止められると固定が完了する。
【００３２】
尚、図６乃至７では、回転規制部２４ａと延出部２３ａとの接する部分が両者共に傾斜部を有する例を示したが、一方のみが傾斜部を有する構造であっても構わない。
【００３３】
（実施の形態４）
本発明の実施の形態４に係る駆動装置２７について図８乃至９に基づいて説明する。ここでは実施の形態１乃至３との差異のみを説明する。
【００３４】
図８は被取り付け板２６にモータ２５が取り付けられた駆動装置２６を示す斜視図である。図９はモータ２５を被取り付け板２６に固定する前（準備）段階の状態を示す斜視図である。
【００３５】
ケーシング５の一つの端部に設けられた取り付け板４０には、モータ２５の二つの径方向に張り出した第一の取り付け部１０及び第二の取り付け部１１が設けられている。また、第二の取り付け部１１には孔１１ａが設けられている。被取り付け板２６には雌ネジ部２６ｂが設けられている。
【００３６】
次に、モータ２５の被取り付け板２６への固定方法について説明する。インロー部６を案内孔２ａに挿入した後、図８に示す様に第一の取り付け部１０を、一端が被取り付け板２５の突出部２６ａに一体に接続された片持ち梁構造となっている係止部２８に係合させる様に回転させる。そして、第２の取り付け部１１に開いている孔１１ａと雌ネジ部２６ｂが重なるように設置し、両者をネジ１２で締結する。
【００３７】
尚、この様な構造とすることで第一の取り付け部１０に対してもネジで締結する場合に比べて小型化が可能となる。
【００３８】
（実施の形態５）
本発明の実施の形態５に係る駆動装置３１について図１０乃至１１に基づいて説明する。ここでは実施の形態４との差異のみを説明する。
【００３９】
図１０は被取り付け板３０にモータ２９が取り付けられた駆動装置３１を示す斜視図である。図１１はモータ２９を被取り付け板３０に固定する前（準備）段階の状態を示す斜視図である。
【００４０】
取り付け板４１には第一の取り付け部３２と第二の取り付け部３３が設けられており、第一の取り付け部３２には第一の孔部３２ａ、被取り付け板３０には第二の孔部３０ｂが設けられており、それらの二つの孔部に挿着されるピン１３が設けられている。
【００４１】
次に、モータ２９の被取り付け板３０への固定方法について説明する。図１０に示す様に第一の取り付け部３２を一端が被取り付け板３０の突出部３０ａに一体に接続された片持ち梁構造となっている係止部３４に係合させるように回転させる。そして、第一の取り付け部３２に設けられた第一の孔部３２ａと被取り付け板３０に設けられた第二の孔部３０ｂが重なるように設置し、そこにピン１３を挿着すると固定が完了する。
【００４２】
この時のピン１３は、回転出力軸７の出力を伝達する動力伝達部材の回転案内を兼ねても構わない。
【００４３】
（実施の形態６）
本発明の実施の形態５に係るデジタルカメラ１４（電子機器）について図１２に基づいて説明する。
【００４４】
図１２は本発明の駆動装置３、１７、２２、２７、３１の何れか一つを備えたデジタルカメラ１４（電子機器）を示す斜視図である。
【００４５】
デジタルカメラ１４には、実施の形態１乃至５に記載の駆動装置３、１７、２２、２７、３１の何れか一つが搭載される。駆動装置３、１７、２２、２７、３１の出力はデジタルカメラ１４の図示しないレンズ体に伝達され、ズームやオートフォーカス、手振れ補正等を行う。
【図面の簡単な説明】
【００４６】
【図１】本発明の実施の形態１の説明をするためのモータが被取り付け板に取り付けられた駆動装置を示す斜視図である。
【図２】図１に示した駆動装置において、モータを被取り付け板に取り付ける前（準備）段階の状態を示す斜視図である。
【図３】図１に示した駆動装置において、モータを被取り付け板に取り付ける前（準備）段階の夫々の斜視図である。
【図４】本発明の実施の形態２の説明をするためのモータが被取り付け板に取り付けられた駆動装置を示す斜視図である。
【図５】図４に示した駆動装置において、モータを被取り付け板に取り付ける前（準備）段階の状態を示す斜視図である。
【図６】本発明の実施の形態３の説明をするためのモータが被取り付け板に取り付けられた駆動装置を示す斜視図である。
【図７】図６に示した駆動装置において、モータを被取り付け板に取り付ける前（準備）段階の状態を示す斜視図である。
【図８】本発明の実施の形態４の説明をするためのモータが被取り付け板に取り付けられた駆動装置を示す斜視図である。
【図９】図８に示した駆動装置において、モータを被取り付け板に取り付ける前（準備）段階の夫々の斜視図である。
【図１０】本発明の実施の形態５の説明をするためのモータが被取り付け板に取り付けられた駆動装置を示す斜視図である
【図１１】図１０に示した駆動装置において、モータを被取り付け板に取り付ける前（準備）段階の夫々の斜視図である。
【図１２】本発明の駆動装置を搭載したデジタルカメラの斜視図である。
【符号の説明】
【００４７】
１、１５、２０、２５、２９  モータ
２、１６、２１、２６、３０  被取り付け板
２ａ  案内孔
２ｂ、１６ａ、２１ａ、２６ａ、３０ａ  突出部
２６ｂ  雌ネジ部
３０ｂ  第二の孔部
３、１７、２２、２７、３１  駆動装置
４、１８、２３、４０、４１  取り付け板
４ａ  バネ部
１８ａ  孔部
２３ａ  延出部
５  ケーシング
６  インロー部
７  回転出力軸
８、１９、２４、２８、３４  係止部
１９ａ  突起
２４ａ  回転規制部
９  端子
１０、３２  第一の取り付け部
１１、３３  第二の取り付け部
１１ａ  孔
３２ａ  第一の孔部
１２  ネジ
１３  ピン
１４  デジタルカメラ
【図１】
2009095085.tif 000003
【図２】
2009095085.tif 000004
【図３】
2009095085.tif 000005
【図４】
2009095085.tif 000006
【図５】
2009095085.tif 000007
【図６】
2009095085.tif 000008
【図７】
2009095085.tif 000009
【図８】
2009095085.tif 000010
【図９】
2009095085.tif 000011
【図１０】
2009095085.tif 000012
【図１１】
2009095085.tif 000013
【図１２】
2009095085.tif 000014